(57)【特許請求の範囲】
【請求項１】
施設における顧客の順番待ちを管理する順番管理用システムと、前記顧客に関する情報を顧客情報管理用の識別コードをもとに管理する顧客情報管理用システムと、を含む順番管理システムであって、
前記順番管理用システムは、
新規の順番待ちの入力操作を受け付け、順番管理用の順番待ちをする顧客に与えられる識別情報を表す順番管理用の識別コードを発行する受付端末と、
前記受付端末と通信ネットワークを介して接続され、前記識別情報に基づいて、前記識別情報に対応する順番待ちのステータスを管理する順番管理サーバと、
を備え、
前記顧客情報管理用システムは、
識別コードを読み取り可能な読み取り装置と、
前記順番管理サーバと通信ネットワークを介して接続され、顧客情報を格納する顧客管理データベースを備える顧客情報管理サーバと、
を備え、
前記顧客情報管理サーバは、
前記読み取り装置が識別コードを読み取ったとき、前記読み取られた識別コードが前記顧客管理データベースに格納された顧客情報を管理する際に用いられる顧客情報管理用の識別コードであるか否かを判別し、
前記読み取り装置が読み取った識別コードが顧客情報管理用の識別コードである場合、当該識別コードに基づいて前記顧客管理データベースを検索して顧客情報を抽出し、
前記読み取り装置が読み取った識別コードが顧客情報管理用の識別コードでない場合、当該識別コードの情報を前記順番管理サーバに送信し、
前記順番管理サーバは、さらに、前記顧客情報管理サーバから前記識別コードの情報を受信した場合に、該識別コードの情報に対応する順番待ちのステータスを変更する、
順番管理システム。
【請求項２】
前記ステータスは、前記顧客の順番が到来していない状態である第１ステータスと、前記顧客の順番が到来して当該顧客を呼び出している状態である第２ステータスと、順番が到来した顧客を案内した状態である第３ステータスと、を含み、
前記順番管理サーバは、前記顧客情報管理サーバから受信した前記識別コードの情報に対応する順番待ちのステータスが前記第２ステータスである場合に、該順番待ちのステータスを第３ステータスに変更する、
請求項１に記載の順番管理システム。
【請求項３】
施設における顧客の順番待ちを管理する順番管理用システムであって、
前記順番管理用システムは、
新規の順番待ちの入力操作を受け付け、順番管理用の順番待ちをする顧客に与えられる識別情報を表す順番管理用の識別コードを発行する受付端末と、
前記受付端末と通信ネットワークを介して接続され、前記識別情報に基づいて、前記識別情報に対応する順番待ちのステータスを管理する順番管理サーバと、
を備え、
前記順番管理サーバは、顧客情報を格納する顧客管理データベースを備える顧客情報管理サーバであって、読み取り装置によって読み取られた顧客情報管理用の識別コードに基づいて前記顧客管理データベースを検索して顧客情報を抽出する顧客情報管理サーバと通信ネットワークを介して接続され、
前記順番管理サーバは、前記読み取り装置によって読み取られた識別コードが前記顧客管理データベースに格納された顧客情報を管理する際に用いられる顧客情報管理用の識別コードでない場合に前記顧客情報管理サーバから送信される前記識別コードの情報を受信した場合に、該識別コードの情報に対応する順番待ちのステータスを変更する、
順番管理用システム。
【請求項４】
顧客に関する情報を顧客情報管理用の識別コードをもとに管理する顧客情報管理用システムであって、
前記顧客情報管理用システムは、
識別コードを読み取り可能な読み取り装置と、
施設における前記顧客の順番待ちを管理する順番管理サーバと通信ネットワークを介して接続され、顧客情報を格納する顧客管理データベースを備える顧客情報管理サーバと、
を備え、
前記顧客情報管理サーバは、
前記読み取り装置が識別コードを読み取ったとき、前記読み取られた識別コードが前記顧客管理データベースに格納された顧客情報を管理する際に用いられる顧客情報管理用の識別コードであるか否かを判別し、
前記読み取り装置が読み取った識別コードが顧客情報管理用の識別コードである場合、当該識別コードに基づいて前記顧客管理データベースを検索して顧客情報を抽出し、
前記読み取り装置が読み取った識別コードが顧客情報管理用の識別コードでない場合、当該識別コードの情報を前記順番管理サーバに送信する、
顧客情報管理用システム。
【請求項５】
施設における顧客の順番待ちを管理する順番管理装置に実行させるプログラムであって、
新規の順番待ちの入力操作を受け付ける受付端末が生成した、順番待ちをする顧客に与えられる識別情報を受信した場合に、順番待ちのステータスが登録されるテーブルに対して前記識別情報に対応する新規の順番待ちを追加するステップ（ａ）と、
前記識別情報に対応する順番待ちのステータスの変更操作を受け付ける順番管理端末が生成した、該変更操作に応じたステータス変更情報を受信した場合に、該ステータス変更情報に基づいて前記テーブルを更新するステップ（ｂ）と、
顧客情報を格納する顧客管理データベースを備える顧客情報管理サーバであって、読み取り装置によって読み取られた顧客情報管理用の識別コードに基づいて前記顧客管理データベースを検索して顧客情報を抽出する顧客情報管理サーバから、前記読み取り装置によって読み取られた識別コードが前記顧客管理データベースに格納された顧客情報を管理する際に用いられる顧客情報管理用の識別コードでない場合に送信される前記識別コードの情報を受信した場合に、前記テーブルにおける前記識別コードの情報に対応する順番待ちのステータスを変更するステップ（ｃ）と、
を実行させるプログラム。
【請求項６】
施設を利用する顧客に関する情報を顧客情報管理用の識別コードをもとに管理する顧客情報管理装置に実行させるプログラムであって、
前記顧客情報管理装置は、前記顧客に関する情報を格納する顧客管理データベースと、所定の形式の識別コードを読み取り可能な読み取り装置と、顧客情報管理用の識別コードを用いて前記顧客管理データベースを管理するプロセッサとを備え、
前記読み取り装置が識別コードを読み取ったとき、前記読み取られた識別コードが前記顧客管理データベースに格納された顧客情報を管理する際に用いられる顧客情報管理用の識別コードであるか否かを判別するステップ（ａ）と、
前記読み取り装置が読み取った識別コードが顧客情報管理用の識別コードである場合、当該識別コードに基づいて前記顧客管理データベースを検索して顧客情報を抽出するステップ（ｂ）と、
前記読み取り装置が読み取った識別コードが前記顧客情報管理用の識別コードでない場合に、前記読み取り装置が読み取った識別コードの情報を、前記施設における顧客の順番待ちを管理する順番管理装置に送信するステップ（ｃ）と、
を実行させるプログラム。
【発明の詳細な説明】
【技術分野】
【０００１】
本発明は、病院、銀行、店舗、役所等の施設における顧客の順番待ちを管理する管理技術に関する。
【背景技術】
【０００２】
従来、病院、銀行、店舗、役所等の施設においては、サービスを待つ顧客の順番を管理するための種々のシステムが採用されている。例えば、特許文献１には、金融機関での取引科目を顧客に選択させ、その取引科目に対応した伝票を印刷して発行する伝票発行端末を備えた窓口取引受け付けシステムが開示されている。
【先行技術文献】
【特許文献】
【０００３】
【特許文献１】特開２００２−２０７８８５号公報
【発明の概要】
【発明が解決しようとする課題】
【０００４】
例えば特許文献１のような従来のシステムにおいては、顧客は、自分の順番が到来すると、順番待ちの受付時に発行された伝票（番号札）を施設のスタッフに提示する。スタッフは、提示された番号札に表示された受付番号を目視で確認し、システムを操作して当該受付番号の順番待ちのステータスを「案内済み」などに変更する。このステータスの変更操作により、当該受付番号が順番待ちの並びから消去される。
【０００５】
しかし、施設のスタッフにとって、受付番号を目視で確認し、順番待ちのステータスの変更操作を手動で行うという作業は非常に面倒である。また、順番を間違えた顧客が番号札を提示し、スタッフも間違いに気づかないまま順番待ちの先頭の受付番号のステータスを「案内済み」等に変更してしまうと、本来、順番が到来しているはずの顧客の順番が飛ばされてしまうというミスが発生するおそれもある。
【０００６】
本発明は、以上説明した事情を鑑みてなされたものであり、施設のスタッフを煩わせることなく順番待ちのステータスの変更処理を行うことができ、且つ順番待ちの案内ミスを低減することができる順番管理システム、情報管理装置およびプログラムを提供することを目的の一つとする。
【課題を解決するための手段】
【０００７】
本発明の一態様である順番管理システムは、施設における顧客の順番待ちを管理する順番管理システムであって、新規の順番待ちの入力操作を受け付け、順番待ちをする顧客に与えられる識別情報を表す順番管理用の識別コードを発行する受付端末と、前記識別情報に対応する順番待ちのステータスの変更操作を受け付け、該変更操作に応じたステータス変更情報を生成する順番管理端末と、前記受付端末および前記順番管理端末の各々と通信ネットワークを介して接続され、前記識別情報および前記ステータス変更情報に基づいて、前記識別情報に対応する順番待ちのステータスを管理する順番管理サーバと、を備え、前記順番管理サーバは、さらに、前記順番管理用の識別コードを読み取り装置によって読み取った読み取り情報を前記通信ネットワークを介して受信した場合に、該読み取り情報に対応する順番待ちのステータスを変更するものである。
【０００８】
また、順番管理システムにおいて、前記ステータスは、前記顧客の順番が到来していない状態である第１ステータスと、前記顧客の順番が到来して当該顧客を呼び出している状態である第２ステータスと、順番が到来した顧客を案内した状態である第３ステータスと、を含み、前記順番管理サーバは、前記順番管理用の識別コードの読み取り情報に対応する順番待ちのステータスが前記第２ステータスである場合に、該順番待ちのステータスを第３ステータスに変更しても良い。
【０００９】
また、順番管理システムは、前記順番管理サーバと前記通信ネットワークを介して接続され、前記読み取り装置によって読み取り可能な顧客情報管理用の識別コードを用いて前記顧客に関する情報を管理する顧客情報管理サーバをさらに備え、前記読み取り装置は、前記顧客情報管理サーバに設けられ、前記顧客情報管理サーバは、前記読み取り装置が前記順番管理用の識別コードを読み取った場合、該識別コードの読み取り情報を前記順番管理サーバに送信し、前記読み取り装置が前記顧客情報管理用の識別コードを読み取った場合、該識別コードの読み取り情報に対応する顧客に関する情報を前記データベースから抽出し、前記順番管理サーバは、前記顧客情報管理サーバから受信した前記順番管理用の識別コードの読み取り情報に基づいて前記順番待ちのステータスを更新しても良い。
【００１０】
また、順番管理システムは、前記順番管理サーバと前記通信ネットワークを介して接続され、前記読み取り装置によって読み取り可能な顧客情報管理用の識別コードを用いて前記顧客に関する情報を管理する顧客情報管理サーバをさらに備え、前記読み取り装置は、前記順番管理端末に設けられ、前記順番管理端末は、前記読み取り装置が前記順番管理用の識別コードを読み取った場合、該識別コードの読み取り情報を前記順番管理サーバに送信し、前記読み取り装置が前記顧客情報管理用の識別コードを読み取った場合、該識別コードの読み取り情報を前記顧客情報管理サーバに送信し、前記順番管理サーバは、前記順番管理端末から受信した前記順番管理用の識別コードの読み取り情報に基づいて前記順番待ちのステータスを更新し、前記顧客情報管理サーバは、前記順番管理端末から受信した前記顧客情報管理用の識別コードの読み取り情報に対応する顧客に関する情報を抽出しても良い。
【００１１】
本発明の別の態様である順番管理装置は、施設における顧客の順番待ちを管理する順番管理装置であって、新規の順番待ちの入力操作を受け付け、順番待ちをする顧客に与えられる識別情報を表す順番管理用の識別コードを発行する受付端末、および、前記識別情報に対応する順番待ちのステータスの変更操作を受け付け、該変更操作に応じたステータス変更情報を生成する順番管理端末の各々との間で、通信ネットワークを介して情報の送受信を行う通信インタフェースと、前記識別情報に対応する順番待ちのステータスが登録されるテーブルと、前記識別情報および前記ステータス変更情報に基づいて前記テーブルを管理するプロセッサと、を備え、前記プロセッサはさらに、前記順番管理用の識別コードを読み取り装置によって読み取った読み取り情報を前記通信ネットワークを介して受信した場合に、前記テーブルにおける前記読み取り情報に対応する順番待ちのステータスを変更するものである。
【００１２】
本発明の別の態様であるプログラムは、施設における顧客の順番待ちを管理する順番管理装置に実行させるプログラムであって、新規の順番待ちの入力操作を受け付ける受付端末が生成した、順番待ちをする顧客に与えられる識別情報を受信した場合に、順番待ちのステータスが登録されるテーブルに対して前記識別情報に対応する新規の順番待ちを追加するステップ（ａ）と、前記識別情報に対応する順番待ちのステータスの変更操作を受け付ける順番管理端末が生成した、該変更操作に応じたステータス変更情報を受信した場合に、該ステータス変更情報に基づいて前記テーブルを更新するステップ（ｂ）と、前記識別情報を表す順番管理用の識別コードを読み取り装置によって読み取った読み取り情報を受信した場合に、前記テーブルにおける前記読み取り情報に対応する順番待ちのステータスを変更するステップ（ｃ）と、を実行させるものである。
【００１３】
本発明のさらに別の態様であるプログラムは、施設を利用する顧客に関する情報を管理する顧客情報管理装置に実行させるプログラムであって、前記顧客情報管理装置は、前記顧客に関する情報を格納するデータベースと、所定の形式の識別コードを読み取り可能な読み取り装置と、顧客情報管理用の識別コードを用いて前記データベースを管理するプロセッサとを備え、前記読み取り装置が読み取った前記顧客情報管理用の識別コードの読み取り情報に基づいて前記データベースを検索することにより、当該顧客情報管理用の識別コードに対応する顧客に関する情報を抽出し、前記読み取り装置が読み取った識別コードが、前記顧客情報管理用の識別コードであるか否かを判別するステップ（ａ）と、前記読み取り装置が読み取った識別コードが前記顧客情報管理用の識別コードでない場合に、前記読み取り装置が読み取った識別コードの読み取り情報を、前記施設における顧客の順番待ちを管理する順番管理装置に送信し、該読み取り情報に対応する順番待ちのステータスを変更させるステップ（ｂ）と、を実行させるものである。
【発明の効果】
【００１４】
本発明によれば、読み取り装置によって読み取られた識別コードの読み取り情報に基づき、順番管理サーバが読み取り情報に対応する順番待ちのステータスを変更するので、施設のスタッフを煩わせることなく順番待ちのステータスの変更処理を行うことができ、且つ順番待ちの案内ミスを低減することが可能となる。
【図面の簡単な説明】
【００１５】
【図１】本発明の実施形態に係る順番管理システムの概略構成を示す図である。
【図２】本発明の実施形態に係る受付端末、順番管理端末および外部表示端末の主要構成を示すブロック図である。
【図３】モード切換ウィンドウを例示した図である。
【図４】お客様モードにおける操作画面（受付画面）を例示した図である。
【図５】スタッフモードにおける操作画面（ステータス操作画面）を例示した図である。
【図６】外部ディスプレイにおける順番待ち状況の表示画面を例示した図である。
【図７】本発明の実施形態に係る順番管理サーバの主要構成を示すブロック図である。
【図８】本発明の実施形態に係る顧客情報管理サーバの主要構成を示すブロック図である。
【図９】本発明の実施形態に係る順番管理システムの動作を示すシーケンス図である。
【図１０】受付完了画面を例示した図である。
【図１１】受付端末が発行する番号券を例示した図である。
【発明を実施するための形態】
【００１６】
以下、本発明の実施形態について図面を参照しつつ詳細に説明する。なお、同一の要素には同一の符号を付し、重複する説明を省略する。
【００１７】
実施の形態
本実施形態では、順番待ちを管理する施設として病院を例に説明するが、これに限る趣旨ではなく、本発明に係る順番管理システムは、銀行、店舗、役所、レストラン、ショッピングモール、デパートなど、訪れた顧客に対し順番に従って応対するあらゆる施設に適用可能である。
【００１８】
（１）実施形態の構成
図１は、本実施形態に係る順番管理システム１の概略構成を示す図である。
順番管理システム１は、病院等の施設を訪れた顧客の順番待ちを管理するシステムである。同図に示すように、順番管理システム１は、新規の順番待ちの入力を受け付ける受付端末１００と、順番待ちの受付伝票（番号券）を印刷するプリンタ２００と、順番待ち状況（ステータス）を表示すると共にステータスの変更を受け付ける順番管理端末３００と、順番待ち状況の一覧を表示する外部表示端末４００および外部ディスプレイ４５０と、順番待ち状況を管理する順番管理サーバ５００と、顧客に関する情報を管理する顧客情報管理サーバ６００とを備える。顧客情報管理サーバ６００には、２次元コード等の識別コードを読み取り可能なコードリーダ６５０が接続されている。このうち、受付端末１００と、順番管理端末３００と、外部表示端末４００と、順番管理サーバ５００と、顧客情報管理サーバ６００とは、通信ネットワークＮを介して接続される。また、通信ネットワークＮに、施設におけるサービスに用いられる端末装置７００を接続しても良い。
【００１９】
ここで、図１においては、受付端末１００、順番管理端末３００、および外部表示端末４００を１台ずつ図示しているが、これに限る趣旨ではなく、これらの機器を複数台ずつ設けて通信ネットワークＮに接続してもよい。例えば、１つの病院に受付端末１００、順番管理端末３００、および外部表示端末４００を複数台ずつ設置しても良いし、同じ系列の複数の病院に、これらの機器を１台ずつまたは複数台ずつ設置しても良い。受付端末１００、順番管理端末３００、および外部表示端末４００には、各機器が設置された施設を特定するための識別情報として施設ＩＤが与えられている。
【００２０】
通信ネットワークＮは、受付端末１００、順番管理端末３００、外部表示端末４００、順番管理サーバ５００および顧客情報管理サーバ６００の間で相互に情報を送受信可能な通信網を含む。通信ネットワークＮは、例えば、インターネット、ＬＡＮ、専用線、電話回線、企業内ネットワーク、移動体通信網、ブルートゥース、ＷｉＦｉ（Wireless  Fidelity）、その他の通信回線、それらの組み合わせ等のいずれであってもよく、有線であるか無線であるかを問わない。
【００２１】
図２は、受付端末１００、順番管理端末３００、および外部表示端末４００の主要構成を示すブロック図である。受付端末１００、順番管理端末３００、および外部表示端末４００は、タブレット端末、パーソナルコンピュータ（ＰＣ）、ノートＰＣ、スマートフォン、携帯電話機、携帯情報端末（ＰＤＡ）など、通信ネットワークを介して他の通信機器とデータの授受が可能なあらゆる端末装置を利用することができる。本実施形態においては、図２に示すタブレット端末１１０に専用のアプリケーションをインストールし、このアプリケーションの実行中における動作モードを切り換えることにより、タブレット端末１１０を受付端末１００、順番管理端末３００、または外部表示端末４００として使用する。動作モードについては後述する。
【００２２】
タブレット端末１１０は、通信インタフェース１２０と、撮像部１３０と、入力部１４０と、表示部１５０と、記憶部１６０と、プロセッサ１７０とを備える。
【００２３】
通信インタフェース１２０は、タブレット端末１１０を通信ネットワークＮに接続し、通信ネットワークＮ上の他の端末と通信をするためのハードウェアモジュールである。通信インタフェース１２０は、例えば、ＩＳＤＮモデム、ＡＤＳＬモデム、ケーブルモデム、光モデム、ソフトモデム等の変調復調装置である。
撮像部１３０は、タブレット端末１１０に内蔵されたカメラである。
【００２４】
入力部１４０は、各種操作ボタンやタッチパネル１４１等の入力デバイスであり、新規顧客の順番待ちの受付や、順番待ちのステータスの変更等の入力操作を受け付ける。
【００２５】
表示部１５０は、例えば液晶ディスプレイにより構成され、順番待ちを受け付けるための操作画面や、顧客の順番待ちリストや、順番待ち状況の一覧等を表示する。
【００２６】
記憶部１６０は、例えば、物理デバイスの記憶領域が提供する論理デバイスである。物理デバイスは、例えば、ディスクドライブまたは半導体メモリ（ＲＯＭ、ＲＡＭなど）等のコンピュータ読み取り可能な記録媒体である。記憶部１６０は、複数の物理デバイスを１つの論理デバイスにマッピングして構築してもよいし、１つの物理デバイスを複数の論理デバイスにマッピングして構築してもよい。
【００２７】
記憶部１６０は、オペレーティングシステムプログラム、ドライバプログラム、各種データ等を記憶する。ドライバプログラムとしては、例えば、通信インタフェース１２０を制御するための通信インタフェースドライバプログラム等がある。また、記憶部１６０は、これら各種プログラムや各種データのほか、プロセッサ１７０が実行することにより、顧客の順番待ちを管理するための順番管理アプリケーションＡＰ１を記憶している。
【００２８】
プロセッサ１７０は、算術演算、論理演算、ビット演算等を処理する算術論理演算ユニット（ＣＰＵなど）および各種レジスタから構成され、記憶部１６０に格納されている各種プログラムを実行することでタブレット端末１１０の各部を中枢的に制御する。各種レジスタは、例えば、プログラムカウンタ、データレジスタ、命令レジスタ、汎用レジスタ等である。
【００２９】
プロセッサ１７０が順番管理アプリケーションＡＰ１を実行することにより実現される機能部には、施設を訪れた顧客にタブレット端末１１０を操作させて順番待ちの受付を行うお客様モードを実行するお客様モード実行部１７１と、施設のスタッフや管理者（以下、これらをまとめてスタッフという）にタブレット端末１１０を操作させて順番待ちのステータスを管理するスタッフモードを実行するスタッフモード実行部１７２と、順番待ち状況の一覧を大型の外部ディスプレイに表示させる外部ディスプレイモードを実行する外部ディスプレイモード実行部１７３と、お客様モードとスタッフモードと外部ディスプレイモードとを切り換えるモード切換部１７４とがある。
【００３０】
図３は、表示部１５０に表示されるモード切換ウィンドウを例示した図である。図３に示すように、モード切換ウィンドウＭ１には、お客様モードを選択するためのボタンｍ１１と、スタッフモードを選択するためのボタンｍ１２と、外部ディスプレイモードを選択するためのボタンｍ１３と、変更内容を決定するための変更ボタンｍ１４と、モード切換ウィンドウＭ１を閉じるための操作ボタンｍ１５とが設けられている。
【００３１】
モード切換操作は、スタッフなどの操作権限を有する者によって行われる。操作権限を有する者が正しい施設ＩＤおよびパスコードをタブレット端末１１０に入力し、認証に成功すると、モード切換部１７４は、図３に示すモード切換ウィンドウＭ１を表示部１５０に表示する。操作権限を有する者がタッチパネル１４１を操作することにより、お客様モードとスタッフモードと外部ディスプレイモードとのいずれかを選択し、モード切換ウィンドウＭ１を閉じると、選択されたモードが当該タブレット端末１１０に設定される。
【００３２】
＜お客様モード＞
お客様モードは、現在の待ち時間や待ち人数等の順番待ち状況の概要を表示すると共に、施設を訪れた顧客にタッチパネル１４１を操作させることで新規の順番待ちの入力を受け付け可能とするモードである。
【００３３】
図４は、お客様モードにおいて表示部１５０に表示される操作画面を例示した図であり、タッチパネル１４１の操作により新規の順番待ちを受け付ける受付画面Ｍ２を示している。受付画面Ｍ２は、例えば、受付項目の種類の指定操作を促すメッセージｍ２１と、受付項目の種類指定ボタンｍ２２〜ｍ２６とを含む。各種類指定ボタンｍ２２〜ｍ２６には、受付項目（新規受付、初診受付、再診受付、人間ドック受付、入院受付等）と、各受付項目の現在の待ち時間とが表示される。なお、待ち時間の代わりに、あるいは、待ち時間と共に、現在順番待ちをしている人数を表示しても良い。
【００３４】
なお、いかなる項目を入力対象とするかについては、施設の管理者等の意向に応じて決定すればよい。例えば、受付項目別に受付をせず、顧客が来た順に一律に受付を行っても良い。この場合、受付画面には、用件の種類指定ボタンｍ２２〜ｍ２６を複数設ける代わりに、順番待ちを受け付けるボタンを１つ設ければ良い。また、順番管理システム１が適用される施設に応じて、入力項目を追加しても良い。一例として、順番管理システム１を飲食店に適用する場合には、来店者の人数や希望する席のタイプ（テーブル席、カウンター等）を入力させるようにしても良い。
【００３５】
お客様モード実行部１７１は、上述した受付画面Ｍ２を表示部１５０に表示させると共に、順番管理サーバ５００から最新の順番待ち状況に関する情報（以下、ステータス情報という）を受信し、このステータス情報に基づいて、各受付項目における待ち時間（または待ち人数）を更新する。
【００３６】
また、お客様モード実行部１７１は、受付画面Ｍ２の種類指定ボタンｍ２２〜ｍ２６のいずれかに所定の操作（例えばタップ操作）がなされた場合に、新規の順番待ちを受け付けた旨を示す受付情報を生成し、通信ネットワークＮを介して順番管理サーバ５００に送信する。受付情報には、順番待ちをする顧客に与えられる識別情報や、受付時刻や、受付項目等が含まれる。
【００３７】
順番待ちをする顧客に与えられる識別情報としては、例えば、数字によって表される受付番号、アルファベットや仮名等の符号、数字とアルファベットもしくは仮名の組み合わせ、または顧客に入力させた特定の語（例えば姓）等を用いることができる。受付番号を用いる場合には、必ずしも昇順の連番にする必要はなく、ランダムの番号であっても良いし、受付項目別の連番としても良い。以下においては、順番待ちをする顧客に与えられる識別情報として受付番号を用いる場合を説明する。
【００３８】
さらに、お客様モード実行部１７１は、受付番号およびこの受付番号を表す順番管理用の識別コードが表示された受付伝票（番号表）をプリンタ２００に出力させる。識別コードは、例えばバーコードや２次元コードのように、光学的に読み取り可能なコードである。あるいは、お客様モード実行部１７１は、受付番号および識別コードを、受付操作を行った顧客が所持する携帯電話やスマートフォン等の携帯端末に送信して画面に表示させても良い。
【００３９】
＜スタッフモード＞
スタッフモードは、各受付番号の順番待ちのステータスを表示すると共に、施設のスタッフにタッチパネル１４１を操作させることで順番待ちのステータスの変更を受け付けるモードである。
【００４０】
図５は、スタッフモードにおいて表示部１５０に表示される操作画面を例示した図であり、タッチパネル１４１の操作により順番待ちのステータスの変更を受け付けるステータス操作画面Ｍ３を示している。ステータス操作画面Ｍ３は、受付端末１００が発行した受付番号ごとに順番待ちリストが表示されるリスト表示欄ｍ３１を含む。
【００４１】
リスト表示欄ｍ３１の各行ｍ３２には、受付番号と、受付項目と、受付時刻と、現在のステータスとが表示されている。これらの行ｍ３２は、受付項目によらず受付時刻順に並べて表示しても良いし、受付項目別に受付時刻順に並べて表示しても良い。行ｍ３２の配列は、ステータス操作画面Ｍ３に対する操作により適宜変更できるようにしても良い。
【００４２】
本実施形態においては、順番待ちのステータスを変更するための操作ボタン群ｍ３３が、所定の操作により各行ｍ３２に表示されるようになっている。操作ボタン群ｍ３３を表示させるための操作としては、例えば、ステータスの変更対象とする行を右から左へとスワイプする操作が挙げられる。なお、図５は、受付番号「２２３」の行ｍ３２に対して操作ボタン群ｍ３３を表示させた状態を示している。
【００４３】
操作ボタン群ｍ３３のうち、「取消」は、順番待ちをキャンセルする際に操作される。「変更」は、いったん入力された順番待ちの詳細（受付項目など）を変更する際に操作される。「呼出」は、順番が到来した顧客を呼び出す際に操作される。「案内」は、順番が到来した顧客をサービス提供（例えば診察）のために案内する際に操作される。なお、変更操作は、「取消」、「変更」、「呼出」、「案内」に限定する趣旨ではなく、施設の業務形態等に応じて、管理者等が適宜設定および変更することが可能である。
【００４４】
スタッフモード実行部１７２は、最新のステータス情報を順番管理サーバ５００から受信した場合に、受信したステータス情報に基づいて、ステータス操作画面Ｍ３に表示されている順番待ちリストを更新する。
【００４５】
また、スタッフモード実行部１７２は、ステータス操作画面Ｍ３の操作ボタン群ｍ３３のいずれかに対して所定の操作（例えばタップ操作）がなされた場合に、操作に応じたステータス変更情報を生成し、通信ネットワークＮを介して順番管理サーバ５００に送信する。
【００４６】
＜外部ディスプレイモード＞
外部ディスプレイモードは、施設内等に設置されている大型ディスプレイなどに順番待ち状況を表示するためのモードである。外部ディスプレイモードで利用する場合には、タブレット端末１１０を、プラズマディスプレイや液晶ディスプレイなどの外部ディスプレイ４５０にケーブルで接続して利用する。外部ディスプレイモードでは、順番待ち状況の一覧が画面に大きく表示される。図６は、外部ディスプレイ４５０における順番待ち状況の表示画面Ｍ４を例示した図である。図６に示す表示画面Ｍ４は、受付項目ごとに表示領域が分かれている。各表示領域は、受付項目表示欄ｍ４１と、ステータスが「呼出中」の受付番号が表示される呼出番号表示欄ｍ４２と、ステータスが「未呼出」の受付番号が表示される待ち番号表示欄ｍ４３とを含む。順番待ちをする顧客は、このような順番待ち状況の表示画面Ｍ４で自分の受付番号を確認することにより、順番待ちのステータスやおおよその待ち時間等を把握することが可能となる。
【００４７】
本実施形態においては、タブレット端末１１０に順番管理アプリケーションＡＰ１を実装し、お客様モードに設定したタブレット端末１１０を受付端末１００として使用し、スタッフモードに設定したタブレット端末１１０を順番管理端末３００として使用し、外部ディスプレイモードに設定したタブレット端末１１０を外部表示端末４００として使用する。受付端末１００として使用するタブレット端末１１０と、順番管理端末３００として使用するタブレット端末１１０と、外部表示端末４００として使用するタブレット端末１１０とは同じ機種であっても良いし、異なる機種であっても良い。
【００４８】
図７は、順番管理サーバ５００の主要構成を示すブロック図である。順番管理サーバ５００は、例えば、演算処理能力の高いコンピュータによって構成され、所定のプログラムを実行することにより、受付端末１００および順番管理端末３００と連携して順番待ちを管理するサーバ機能を実現するものである。ここで、順番管理サーバ５００を構成するコンピュータは、必ずしも１台である必要はなく、通信ネットワークＮ上に分散する複数のコンピュータから構成されてもよい。
【００４９】
図７に示すように、順番管理サーバ５００は、通信インタフェース５１０と、記憶部５２０と、プロセッサ５３０とを備える。
【００５０】
通信インタフェース５１０は、通信ネットワークＮに接続し、通信ネットワークＮ上の他の端末と通信をするためのハードウェアモジュールである。通信インタフェース５１０は、例えば、ＩＳＤＮモデム、ＡＤＳＬモデム、ケーブルモデム、光モデム、ソフトモデム等の変調復調装置である。
【００５１】
記憶部５２０は、例えば、物理デバイスの記憶領域が提供する論理デバイスである。物理デバイスは、例えば、ディスクドライブまたは半導体メモリ（ＲＯＭ、ＲＡＭなど）等のコンピュータ読み取り可能な記録媒体である。記憶部５２０は、複数の物理デバイスを１つの論理デバイスにマッピングして構築してもよいし、１つの物理デバイスを複数の論理デバイスにマッピングして構築してもよい。
【００５２】
記憶部５２０は、オペレーティングシステムプログラムやドライバプログラムを含む各種プログラムおよびこれらのプログラムの実行中に使用される各種データを格納する。具体的には、記憶部５２０は、プロセッサ５３０に実行させる順番管理プログラムＡＰ２と、このプログラムの実行中に使用される順番管理データベースＤＢ１を記憶している。
【００５３】
順番管理データベースＤＢ１は、施設ごとに受付端末１００および順番管理端末３００を管理するためのデータベースであり、クライアント管理テーブルＴＡ１およびステータス管理テーブルＴＡ２を含む。
【００５４】
クライアント管理テーブルＴＡ１には、施設ごとに固有のＩＤとパスコード（アカウント）が対応づけて登録されている。例えば、複数の系列病院が存在する場合、「病院Ａ」で利用される受付端末１００および順番管理端末３００に対して「ＩＤ：Ａ１・・・」、「パスコード：ＡＡ２・・・」が設定されている。施設ごとのＩＤおよびパスコードは、例えば、システム導入の際に各施設で順番待ちの管理を行う管理者によって設定される。１つの施設で受付端末１００、順番管理端末３００、および外部表示端末４００を複数台ずつ利用する場合には、同一のＩＤとパスコードを利用しても良いが、例えば所定の条件に従い、複数のＩＤとパスワードを使い分けるようにしても良い。
【００５５】
ステータス管理テーブルＴＡ２には、受付端末１００が発行した受付番号の一覧と、各受付番号の順番待ちのステータスとを含む順番待ちリストが、施設ごとに格納されている。各順番待ちリストにおいては、受付端末１００から送信される受付情報に基づいて新たな順番待ちの受付番号が登録され、順番管理端末３００から送信されるステータス変更情報に基づいて各受付番号に対応する順番待ちのステータスが更新される。
【００５６】
ここで、順番待ちのステータスには、「未呼出」（第１ステータス）と、「呼出中」（第２ステータス）と、「案内済」（第３ステータス）とがある。「未呼出」は、顧客の順番が到来していない状態である。「呼出中」は、順番が到来した顧客を呼び出している状態である。このとき、施設においては、順番が到来した顧客の受付番号を外部ディスプレイ４５０に表示したり（図６参照）、顧客の携帯端末にメールまたは電話したりして呼出を行っている。「案内済」は、順番が到来した顧客をサービス提供のために案内した状態である。ステータス管理テーブルＴＡ２において、ステータスが「案内済」になった受付番号は、順番待ちの並び順から除外され、消去されるか、または順番待ちの並び順とは別に管理される。なお、どのようなステータスを設定するかについては、各施設の管理者等が適宜設定し、あるいは変更することができる。
【００５７】
プロセッサ５３０は、算術演算、論理演算、ビット演算等を処理する算術論理演算ユニット（ＣＰＵなど）および各種レジスタから構成され、記憶部５２０に格納されている各種プログラムを実行することにより順番管理サーバ５００の各部を中枢的に制御する。また、プロセッサ５３０は、順番管理プログラムＡＰ２を実行することにより、受付端末１００、順番管理端末３００、および顧客情報管理サーバ６００と連携して順番管理機能を実現する。即ち、プロセッサ５３０は、受付端末１００から受信した受付情報や、順番管理端末３００から受信したステータス変更情報や、後述する顧客情報管理サーバ６００から受信した識別コードの読み取り情報に従ってステータス管理テーブルＴＡ２を更新する。
【００５８】
図８は、顧客情報管理サーバ６００の主要構成を示すブロック図である。顧客情報管理サーバ６００は、順番管理サーバ５００と同様に、演算処理能力の高いコンピュータによって構成され、所定のプログラムを実行することにより、順番管理端末３００と連携して、顧客情報を管理するサーバ機能を実現するものである。顧客情報管理サーバ６００を構成するコンピュータも必ずしも１台である必要はなく、通信ネットワークＮ上に分散する複数のコンピュータから構成されてもよい。
【００５９】
図８に示すように、顧客情報管理サーバ６００は、通信インタフェース６１０と、記憶部６２０と、プロセッサ６３０とを備える。これらの各部のハードウェアの構成は、順番管理サーバ５００が備える通信インタフェース５１０、記憶部５２０、およびプロセッサ５３０とそれぞれ同様である。
【００６０】
記憶部６２０は、オペレーティングシステムプログラムやドライバプログラムを含む各種プログラムおよびこれらのプログラムの実行中に使用される各種データを格納する。具体的には、記憶部６２０は、プロセッサ６３０に実行させる顧客情報管理プログラムＡＰ３と、このプログラムの実行中に使用される顧客管理データベース（ＤＢ）ＤＢ２と、顧客詳細情報データベース（ＤＢ）ＤＢ３とを記憶している。
【００６１】
顧客管理データベースＤＢ２は、病院の顧客である患者に関する情報（顧客情報）を格納している。顧客情報として、具体的には、顧客ＩＤ、顧客の氏名、生年月日、性別、血液型、住所、連絡先等が挙げられる。
【００６２】
顧客詳細情報データベースＤＢ３は、顧客に関する詳細な情報を格納している。顧客詳細情報データベースＤＢ３に格納される情報は、顧客管理データベースＤＢ２に格納される顧客情報と紐づけられて管理されている。
【００６３】
顧客詳細情報データベースＤＢ３に格納される情報は、順番管理システム１が適用される施設に応じて決定される。例えば病院において、顧客詳細情報は所謂電子カルテであり、顧客詳細情報データベースＤＢ３は電子カルテシステム用のデータベースである。また、銀行においては取引履歴情報、商品を販売する店舗においては商品の購入履歴情報や購入履歴に基づくレコメンド情報、レストランにおいては来店履歴情報や食品アレルギー情報等がそれぞれ、顧客詳細情報として格納される。
【００６４】
プロセッサ６３０は、顧客情報管理プログラムＡＰ３を実行することにより、顧客情報管理機能を実現すると共に、順番管理サーバ５００と連携して順番管理機能を実現する。詳細には、プロセッサ６３０が実現する機能部には、識別コード判別部６３１と、顧客情報抽出部６３２と、顧客情報抽出部６３２とが含まれる。
【００６５】
識別コード判別部６３１は、コードリーダ６５０が読み取った識別コードが顧客情報管理用の識別コードであるか否かを判別する。ここで、顧客情報管理用の識別コードは、顧客管理データベースＤＢ２に格納された顧客情報を管理する際に用いられる識別コードであり、顧客に対して発行される診察券や会員カード等に表示される。顧客情報管理用の識別コードは、コードリーダ６５０によって読み取り可能であれば、バーコードや２次元コード等の形式は問わない。識別コード判別部６３１は、コードリーダ６５０が読み取った識別コードが顧客情報管理用の識別コードでないと判別した場合、当該識別コードは受付番号を表す順番管理用の識別コードであると判断して、識別コードの読み取り情報を順番管理サーバ５００に送信する。
【００６６】
顧客情報抽出部６３２は、コードリーダ６５０が読み取った識別コードが顧客情報管理用の識別コードである場合に、該識別コードの読み取り情報をもとに顧客管理データベースＤＢ２を検索して顧客情報を抽出する。
【００６７】
コードリーダ６５０は、バーコードや２次元コード等の所定の形式の識別コードを光学的に読み取り可能な読み取り装置（コードスキャナ）である。
【００６８】
端末装置７００は、例えば病院の医師など、施設のスタッフが使用するパーソナルコンピュータであり、顧客詳細情報データベースＤＢ３に格納された顧客詳細情報（例えば電子カルテ）を表示し、施設のスタッフに閲覧および編集させるためのものである。
【００６９】
（２）実施形態の動作
次に、順番管理システム１の動作を説明する。図９は、順番管理システム１の動作を示すシーケンス図である。以下においては、順番管理システム１が病院に適用されるものとして説明する。
【００７０】
顧客は、病院を訪れるとまず、受付端末１００に表示された受付画面Ｍ２（図４参照）を見て、所望の受付項目を示す種類指定ボタンｍ２２〜ｍ２６をタップするなどの入力操作を行う。この際、顧客に代わって、病院の案内スタッフが受付端末１００を操作しても良い。
【００７１】
受付端末１００は、タッチパネル１４１に対する入力操作を検知すると（ステップＳ１００：Ｙｅｓ）、新規の順番待ちの受付番号を発行すると共に、この受付番号を含む受付情報を生成し、通信ネットワークＮを介して順番管理サーバ５００に送信する（ステップＳ１０１）。
【００７２】
受付端末１００は続いて、番号券を発行してプリンタ２００に出力させる（ステップＳ１０２）。この際、受付端末１００は、例えば図１０に示す受付完了画面Ｍ５を表示し、メッセージｍ５１により受付番号とおおよその待ち時間を顧客に通知しても良い。
【００７３】
図１１は、受付端末１００が発行する番号券を例示した図である。番号券Ｍ６は、受付番号の表示領域ｍ６１と、識別コード（例えば２次元コード）が表示された識別コード表示領域ｍ６２と、番号券Ｍ６の使用方法が記載された案内表示領域ｍ６３とを含む。この番号券Ｍ６に印刷された２次元コードを顧客の携帯端末で読み取ると、顧客の携帯端末はメールアドレスや電話番号等の情報を、通信ネットワークＮを介して順番管理サーバ５００に送信し、受付番号と共に管理させる。それにより、顧客は、呼出状況の確認サービスや、メールまたは電話での呼出サービスを受けることができる。
【００７４】
あるいは、受付端末１００は、受付端末１００を操作した顧客の携帯端末に受付情報を送信し、受付番号及び識別コードを顧客の携帯端末に表示させても良い。
【００７５】
一方、受付端末１００がタッチパネル１４１に対する入力操作を検知しない場合（ステップＳ１００：Ｎｏ）、受付端末１００の動作はそのままステップＳ１０３に移行する。
【００７６】
順番管理サーバ５００は、受付端末１００から受付情報を受信すると（ステップＳ２００：Ｙｅｓ）、受信した受付情報に基づいてステータス管理テーブルＴＡ２を更新する（ステップＳ２０１）。具体的には、新規の順番待ちを追加する。
【００７７】
続いて、順番管理サーバ５００は、更新したステータス管理テーブルＴＡ２に基づいて、最新のステータス情報を受付端末１００、順番管理端末３００、および外部表示端末４００に送信する（ステップＳ２０２）。
【００７８】
ここで、順番管理サーバ５００は、ステータス管理テーブルＴＡ２を更新するたびに、ステータス情報を受付端末１００、順番管理端末３００、および外部表示端末４００の各端末に送信しても良いし、ステータス管理テーブルＴＡ２を更新したか否かにかかわらず、所定の時間間隔でステータス情報を上記各端末に送信しても良い。あるいは、順番管理サーバ５００は、上記各端末から要求が来たときのみ、ステータス情報を送信するようにしても良い。この場合、上記各端末は、所定の時間間隔で順番管理サーバ５００にステータス情報を要求するように設定される。
【００７９】
一方、順番管理サーバ５００が受付端末１００から受付情報を受信しない場合（ステップＳ２００：Ｎｏ）、順番管理サーバ５００の動作はそのままステップＳ２０３に移行する。
【００８０】
受付端末１００は、順番管理サーバ５００から最新のステータス情報を受信すると（ステップＳ１０３：Ｙｅｓ）、受信したステータス情報に基づいて受付画面Ｍ２（図４参照）を更新表示する（ステップＳ１０４）。この際、外部表示端末４００も順番管理サーバ５００から最新のステータス情報を受信して、順番待ち状況の表示画面Ｍ４（図６参照）を更新表示する。
【００８１】
一方、受付端末１００が順番管理サーバ５００から最新のステータス情報を受信しない場合（ステップＳ１０３：Ｎｏ）、受付端末１００の動作はそのままステップＳ１０５に移行する。
【００８２】
順番管理端末３００は、順番管理サーバ５００から最新のステータス情報を受信すると（ステップＳ３００：Ｙｅｓ）、受信したステータス情報に基づいてステータス操作画面Ｍ３（図５参照）の順番待ちリストを更新表示する（ステップＳ３０１）一方、順番管理端末３００が最新のステータス情報を受信しない場合（ステップＳ３００：Ｎｏ）、順番管理端末３００の動作はそのままステップＳ３０２に移行する。
【００８３】
病院のスタッフは、順番待ちのステータスを変更する場合、順番管理端末３００に表示されたステータス操作画面Ｍ３（図５参照）に対してステータス変更操作を行う。具体的には、順番待ちリストの先頭の行（図５においては受付番号「２２３」の行）をスワイプして操作ボタン群ｍ３３を表示させ、所望の操作ボタン（取消、変更、呼出、案内のいずれか）をタップすることでステータスの変更操作を行う。
【００８４】
順番管理端末３００は、ステータス変更操作を検知すると（ステップＳ３０２：Ｙｅｓ）、このステータス変更操作に応じたステータス変更情報を生成し、通信ネットワークＮを介して順番管理サーバ５００に送信する（ステップＳ３０３）。
【００８５】
一方、順番管理端末３００がステータス変更操作を検知しない場合（ステップＳ３０２：Ｎｏ）、順番管理端末３００の動作はそのままステップＳ３０４に移行する。
【００８６】
順番管理サーバ５００は、順番管理端末３００からステータス変更情報を受信すると（ステップＳ２０３：Ｙｅｓ）、受信したステータス変更情報に基づいてステータス管理テーブルＴＡ２を更新する（ステップＳ２０４）。具体的には、順番管理サーバ５００は、ある受付番号の順番待ちのステータスを「案内済」に変更するステータス変更情報を受信すると、ステータス管理テーブルＴＡ２に登録された当該受付番号の順番待ちのステータスを「案内済」に変更し、さらに、当該受付番号を順番待ちの並び順から消去するか、あるいは別に管理する。また、順番管理サーバ５００は、ある受付番号の順番待ちのステータスを「呼出中」に変更するステータス変更情報を受信すると、ステータス管理テーブルＴＡ２に登録された当該受付番号の順番待ちのステータスを「呼出中」に変更する。併せて、順番管理サーバ５００は、当該受付番号にメールアドレスや電話番号が紐づけられている場合に、呼出メールを送ったり電話をかけたりして顧客を呼び出す。
【００８７】
続いて、順番管理サーバ５００は、更新したステータス管理テーブルＴＡ２に基づいて、最新のステータス情報を受付端末１００、順番管理端末３００、および外部表示端末４００に送信する（ステップＳ２０５）。順番管理サーバ５００は、ステータス管理テーブルＴＡ２を更新するたびに、ステータス情報を受付端末１００、順番管理端末３００、および外部表示端末４００の各端末に送信しても良いし、所定の時間間隔で、あるいは上記各端末からの要求に応じてステータス情報を上記各端末に送信しても良い。
【００８８】
一方、順番管理サーバ５００が順番管理端末３００からステータス変更情報を受信しない場合（ステップＳ２０３：Ｎｏ）、順番管理サーバ５００の動作はそのままステップＳ２０６に移行する。
【００８９】
順番が到来して呼び出された顧客は、受付窓口に出向き、病院のスタッフに番号札を提示する。あるいは、番号札の代わりに、識別コードが表示されている携帯端末の画面をスタッフに提示しても良い。また、顧客が診察券を所持している場合には、併せて診察券を提示する。上述したように、診察券には、顧客情報管理用の識別コードが表示されている。スタッフは、番号札もしくは携帯端末の画面に表示された識別コード、または診察券に表示された識別コードをコードリーダ６５０によって読み取る。
【００９０】
顧客情報管理サーバ６００は、コードリーダ６５０が２次元コード等の識別コードを検出したか否かを判別する（ステップＳ４００）。識別コードが検出された場合（ステップＳ４００：Ｙｅｓ）、顧客情報管理サーバ６００は続いて、検出された識別コードが顧客情報管理用のコードであるか否かを判別する（ステップＳ４０1）。
【００９１】
顧客情報管理サーバ６００は、検出された識別コードが顧客情報管理用のコードでないと判別した場合（ステップＳ４０１：Ｎｏ）、識別コードの読み取り情報であるコード情報を順番管理サーバ５００に送信する（ステップＳ４０２）。
【００９２】
順番管理サーバ５００は、コード情報を受信すると（ステップＳ２０６：Ｙｅｓ）、ステータス管理テーブルＴＡ２を検索し、コード情報に対応する受付番号の順番待ちのステータスを取得する。そして、順番管理サーバ５００は、取得したステータスが「呼出中」である場合（ステップＳ２０７：Ｙｅｓ）、当該受付番号の順番待ちのステータスを「案内済」に変更する（ステップＳ２０８）。
【００９３】
さらに、順番管理サーバ５００は、更新したステータス管理テーブルＴＡ２に基づいて、最新のステータス情報を受付端末１００、順番管理端末３００、および外部表示端末４００に送信する（ステップＳ２０９）。なお、ここでも順番管理サーバ５００は、ステータス管理テーブルＴＡ２を更新するたびにステータス情報を上記各端末に送信しても良いし、所定の時間間隔で、あるいは上記各端末からの要求に応じてステータス情報を上記各端末に送信しても良い。
【００９４】
一方、順番管理サーバ５００がコード情報を受信しない場合（ステップＳ２０６：Ｎｏ）、およびコード情報に対応する受付番号の順番待ちのステータスが「呼出中」でない場合（ステップＳ２０７：Ｎｏ）、順番管理サーバ５００の動作はステップＳ２１０に移行する。
【００９５】
また、顧客情報管理サーバ６００は、検出された識別コードが顧客情報管理用のコードであると判別した場合（ステップＳ４０１：Ｙｅｓ）、識別コードの読み取り情報をもとに顧客管理データベースＤＢ２を検索し、当該読み取り情報に対応する顧客情報を抽出する（ステップＳ４０２）。
【００９６】
続いて、顧客情報管理サーバ６００は、抽出した顧客情報に対応する顧客詳細情報（電子カルテ）を顧客詳細情報データベースＤＢ３から抽出する（ステップＳ４０４）。顧客情報管理サーバ６００は、さらに、抽出した顧客詳細情報を端末装置７００に送信して表示させても良い。
【００９７】
また、コードリーダ６５０が識別コードを検出しない場合（ステップＳ４００：Ｎｏ）、顧客情報管理サーバ６００の動作はそのままステップＳ４０５に移行する。
【００９８】
その後、順番管理システム１が動作を継続する場合（ステップＳ１０５、Ｓ２１０、Ｓ３０４、Ｓ４０５：Ｎｏ）、受付端末１００、順番管理端末３００、順番管理サーバ５００、および顧客情報管理サーバ６００の動作はステップＳ１００、Ｓ２００、Ｓ３００、Ｓ４００にそれぞれ戻る。一方、順番管理システム１が動作を終了する場合（例えば、１日の業務を終了する場合、ステップＳ１０５、Ｓ２１０、Ｓ３０４、Ｓ４０５：Ｙｅｓ）、受付端末１００、順番管理端末３００、順番管理サーバ５００、および顧客情報管理サーバ６００の動作は終了する。
【００９９】
以上説明したように、本実施形態によれば、受付番号を表す順番管理用の識別コードを読み取り装置に読み取らせ、その読み取り情報に基づき、順番管理サーバ５００において順番待ちのステータスの変更処理を行うので、スタッフが手動でステータスを変更する必要がなくなる。従って、スタッフの業務を簡素化することができると共に、受付番号違いに起因する顧客の案内ミスを抑制することが可能となる。
【０１００】
また、本実施形態においては、識別コードの読み取り装置として、顧客情報管理サーバ６００に設けられたコードリーダ６５０を用い、コードリーダ６５０が読み取った識別コードの判別結果に応じて、当該識別コードの読み取り情報を順番管理サーバ５００に送信して順番待ちのステータスを変更させ、あるいは、当該識別コードの読み取り情報に基づいて顧客情報を検索する。従って、順番管理用のシステムと顧客情報管理用のシステムとを容易に連携させることができ、施設における受付関連業務に要する設備コストを抑制しつつ、業務効率を向上させることが可能となる。
【０１０１】
変形例１
上記実施形態は、患者のカルテ等の顧客詳細情報を紙のファイルで管理するなど、顧客詳細情報データベースＤＢ３が設けられておらず、顧客情報のみを電子的に管理している施設に適用することも可能である。この場合、カルテ等に付与された管理用ＩＤを顧客管理データベースＤＢ２に格納された顧客情報と紐づけて管理すれば良い。カルテを使用する際には、顧客情報管理サーバ６００が、コードリーダ６５０で読み取った顧客情報管理用の識別コードをもとに顧客情報を抽出し（ステップＳ４０３参照）、この顧客情報に含まれる管理用ＩＤをもとに、施設のスタッフがカルテ等を書庫等から取り出せば良い。
【０１０２】
変形例２
上記実施形態においては、識別コードの判別を顧客情報管理サーバ６００で行ったが、この動作を順番管理端末３００で行っても良い。この場合、順番管理端末３００は、顧客が提示した番号札または診察券に表示された識別コードを撮像部１３０（図２参照）によって読み取り、識別コードが順番管理用の識別コードと顧客情報管理用の識別コードとのいずれであるかを判別する。そして、順番管理端末３００は、識別コードが順番管理用のコードである場合に識別コードの読み取り情報を順番管理サーバ５００に送信し、識別コードが顧客情報管理用のコードである場合に識別コードの読み取り情報を顧客情報管理サーバ６００に送信する。順番管理サーバ５００は、受信した読み取り情報に基づいて順番待ちのステータスを変更し、顧客情報管理サーバ６００は、受信した読み取り情報に基づいて顧客情報を検索する。
【符号の説明】
【０１０３】
１…順番管理システム
１００…受付端末
１１０…タブレット端末
１２０、５１０、６１０…通信インタフェース
１３０…撮像部
１４０…入力部
１４１…タッチパネル
１５０…表示部
１６０、５２０、６２０…記憶部
１７０、５３０、６３０…プロセッサ
１７１…お客様モード実行部
１７２…スタッフモード実行部
１７３…外部ディスプレイモード実行部
１７４…モード切換部
２００…プリンタ
３００…順番管理端末
４００…外部表示端末
５００…順番管理サーバ
６００…顧客情報管理サーバ
６３１…識別コード判別部
６３２…顧客情報抽出部
７００…端末装置
ＡＰ１…順番管理アプリケーション
ＡＰ２…順番管理プログラム
ＡＰ３…顧客情報管理プログラム
ＤＢ１…順番管理データベース
ＤＢ２…顧客管理データベース（ＤＢ）
ＤＢ３…顧客詳細情報データベース（ＤＢ）
ＴＡ１…クライアント管理テーブル
ＴＡ２…ステータス管理テーブル
Ｎ…通信ネットワーク
【図１】
0006280577.tif 000002
【図２】
0006280577.tif 000003
【図３】
0006280577.tif 000004
【図４】
0006280577.tif 000005
【図５】
0006280577.tif 000006
【図６】
0006280577.tif 000007
【図７】
0006280577.tif 000008
【図８】
0006280577.tif 000009
【図９】
0006280577.tif 000010
【図１０】
0006280577.tif 000011
【図１１】
0006280577.tif 000012